(57)【要約】【課題】眼鏡保持紐の捩れを瞬時に解消して保持紐の左右への揺れも少なく、様々な体型及び使用諸条件への対応が可能で常に快適使用の出来る眼鏡保持紐を提供する。【解決手段】眼鏡保持紐に、回転自在の縒り戻し機能を有する連結具（スイベル又はサルカン）１A・２A・２Bを配して連結部とし、掛け外しの反復操作に起因する保持紐の捩れ解消を図る。又、垂れ下がった保持紐の左右の揺れを減少するため、最下部２Bが常に胸部に接して静止状態を維持するように保持紐Xの長さをFで任意に調整し、YはGによって長さ調整が出来るようにする事であらゆる使用諸条件への対応が可能となり、安定的に違和感なく快適に使用することが出来る。又、保持紐の最下位連結部２を自重不均等な２連構造とすることにより、振り子運動の収束を早めて揺れ幅減少の効果を高める機能を有する。【選択図】図２
2007199444.tif 000002
【特許請求の範囲】
【請求項１】
眼鏡の弦部（テンプル）等に取り付けて使用する眼鏡保持紐又はチェーンに、回転自在の縒り戻し機能を有する接続具（スイベル又はサルカン）を配し連結部とする事で、保持紐の捩じれ解消を特徴とした縒り戻し機能付き眼鏡保持紐。（図１．２参照）
【請求項２】
請求項１に記載された眼鏡保持紐のXの最下部２が常に胸部と接し停止状態を維持する様Fによって任意に調整可能としたことを特徴とする眼鏡保持紐。（図１．２参照）
【請求項３】
請求項２記載の眼鏡保持紐Xの最下位連結部（２Aと２B）において、X側の２Aを軽くY側の２Bを重くし大小及び比重の異なる素材等から成る自重不均等な２連結構造とする事で、振り子運動の振幅機能が阻害されてその運動収束を早めることを特徴とした、揺れ減少機能付き眼鏡保持紐。（図２参照）
【請求項４】
請求項２記載のFによる保持紐Xの長さ調整と相まって、Gによる保持紐Yの長さ調整により、個々の体型の違いや使用諸条件への対応性を高めた事を特徴とする、長さ微調整機能付眼鏡保持紐。（図１．２参照）
【発明の詳細な説明】
【技術分野】
【０００１】
本発明は、眼鏡保持紐（メガネチェーン）に関する。
【背景技術】
【０００２】
眼鏡保持紐は、手元の詳細を確認する時や緻密な手作業時等に頻繁な掛け外しの操作が必要な場合、比較的に下向き状態で使用することが多い。使用方法としては、両端を眼鏡弦部（テンプル）に取り付けて首に掛け下げるものが大半であり、そのタイプも単に吊り下げ機能のみの安直なものから、色彩及びデザイン等に装飾性が高く貴金属等を使用した高価なものまで多彩であり、素材に関しても繊維紐．ビーズ．弾性細ロープ．その他貴金属チェーン等の多種にわたっている。
しかし、それら従来のいずれの眼鏡保持紐も、基本的な吊り下げ機能以外は実用諸条件への対応機能が不十分であり、使用性格上、何回も掛け外しを繰り返すうちに捩じれが生じて絡まり不具合になった保持紐及びチェーンをその都度、手で逆転させて捩れを元に戻すといった面倒な手直し作業が必要であった。
又、前傾姿勢で下向き加減での手作業時や読書時等の振り向き動作時においては、頭部に連動して垂れ下がった保持紐及びチェーンが左右に揺れ、それが頬に触れ視野に入ったりして違和感を覚えたり煩わしく感じる事が多かった。
【発明の開示】
【発明が解決しようとする課題】
【０００３】
そこで本発明では、掛け外し操作を繰り返してもその保持紐及びチェーンに捩じれが生じることがなく、前傾姿勢の下向き状態時もその垂れ下がった保持紐が揺れにくい等の実用性を有し、既存の装飾性を損なう事無く様々な使用諸条件に対応が可能で、常に安定した快適使用が出来る眼鏡保持紐を提供する。
【課題を解決するための手段】
【０００４】
本発明によると、眼鏡保持紐及びチェーンの眼鏡弦部（テンプル）Ｓとの取り付け部１と保持紐の垂れ下がり最下部２とに、縒り戻し機能を有する回転自在の接続具（スイベル又はサルカン）を配し、それぞれの保持紐及びチェーンを連結することによって、繰り返し行なわれる掛け外しの反復操作に起因する保持紐及びチェーンの捩れを瞬時に解消し、捩れを戻す手直し作業が不要となり常に安定した快適な使用が可能である。（図１．２参照）
【０００５】
図１の前傾姿勢下向き時（M−２）に見られるように、従来の保持紐Zが垂れ下がり左右に揺れるのを防ぐために、本発明においては、図１の正視姿勢時（M−１）の状態において保持紐Ｘの最下部２に位置する２Bが、常にその自重により胸部に接して静止状態を維持するように、F部のスライドによって保持紐Ｘの長さ調整を行ない、その使用条件に適合する設定を行なうことで保持紐Xの左右への揺れを減少させ、使用時の違和感や煩わしさを解消できる。更にその保持紐Ｘの最下位接続部（２Ａ．２Ｂ）については、X側２Ａを軽くY側２Bを重くするなど、大小及び比重の異なる素材等から成る自重不均等な２連結構造とする事で、その自重差のアンバランスによって振り子運動の振幅機能が阻害されて運動収束が早まり、保持紐の揺れ幅を減少させる効果を生じさせる事が可能となる。
又、左右の２B及びG・H等の自重バランスにより、保持紐全体の左右へのズレが減少されて安定条件を維持する特徴を有することとなる。（図１．２参照）
【０００６】
上述した機能の安定活用を図るために、X部分の長さをFで、Y部分の長さをGによりそれぞれの保持紐の長さを任意に調整可能とする事で、個人差によって異なる体型と使用諸条件への適応力を高め、常に安定した機能活用が出来るようになる。
尚、この場合のF部の構造はFを貫通したXの保持紐をCの接続リングを経てFに再貫通させて、抜け防止としてその先端に突起物又は球状の膨らみを付着させる。
又、G部の場合はGに保持紐Ｙを貫通させて出来る環に抜け防止としてリングHを配する。図２参照
【発明の効果】
【０００７】
繊細な手作業時や読書等において、自然な感覚で違和感のない快適使用が安定的できる事に加えて、各保持紐の長さ調整機能により眼鏡の種類や個人の体型及び使用時の諸条件等に関係なく、あらゆる対応が可能となってユニバーサル要素を有する。
【発明を実施するための最良の形態】
【０００８】
本発明の機能が発揮される保持紐の材質条件として、全体的にしなやかで比較的比重の軽い素材であることが有効であり、肌への接触感からも各部材はソフトな感触が求められると共に、必要に応じて丸洗い可能な素材構成であることも最良利便性のひとつといえる。
又、装飾性の高いビーズチェーン等の場合、テンプルへの取り付け部Eから２Aにかけての各素材の比重は軽い方が良好であり、２BからYを経てはその比重が重い素材で構成されている方がより効果的である。
【図面の簡単な説明】
【０００９】
【図１】前傾姿勢下向き時と正面正視姿勢時の使用状態イメージ図である。
【図２】眼鏡保持紐各部位と全体の機能図である。
【符号の説明】
【００１０】
１  眼鏡弦部（テンプル）への取り付け部
２  保持紐垂れ下がり最下位部
１A  スイベル又はサルカン（小）
２A  スイベル又はサルカン（小）
２B  スイベル又はサルカン（大）
C  連結リング
E  眼鏡弦部（テンプル）取り付用ゴム質リング
F  長さ調整リング
G  長さ調整リング
H  調整リングGのストッパー
J  保持紐連結部のゴム質カバー
X  保持紐
Y  保持紐
S  眼鏡弦部（テンプル）
Z  従来の眼鏡保持紐及びチェーン
（M−1）  正面正視姿勢時
（M−2）  前傾姿勢下向き時
【図１】
2007199444.tif 000003
【図２】
2007199444.tif 000004